(57)【要約】      （修正有）【課題】ガス燃料で動く大型ユニフロー掃気式２サイクルエンジンにおいて、ノッキングを防止する、または少なくとも低減する。【解決手段】シリンダライナ（１）と、ピストン（１０）と、シリンダカバー（２２）とで区切られた燃焼室と、シリンダライナ（１）に配置された掃気口（１８）と、シリンダカバー（２２）に配置された少なくとも１つの排気弁（４）と、ガス燃料を燃焼室内に噴射する、シリンダライナ（１）に配置された少なくとも１つの燃料弁（３０）と、前記燃料弁（３０）への圧縮ガス燃料の供給部と発熱量を有しない圧縮ガスの供給部の両方と、を備えた大型ターボチャージャ付きユニフロー掃気式２サイクル内燃エンジンであって、前記エンジンは、前記ガス燃料と前記発熱量を有しないガスの両方を前記燃料弁（３０）を介して前記燃焼室内に噴射するように構成される。【選択図】図３
2020122483.tif 000002
【特許請求の範囲】
【請求項１】
シリンダライナ（１）と、ピストン（１０）と、シリンダカバー（２２）とで区切られた燃焼室と、
シリンダライナ（１）に配置された掃気口（１８）と、
シリンダカバー（２２）に配置された少なくとも１つの排気弁（４）と、
ガス燃料を燃焼室内に噴射する、シリンダライナ（１）に配置された少なくとも１つの燃料弁（３０）と、
前記シリンダライナ（１）の前記燃料弁（３０）への、加圧ガス燃料供給部（４０）及び加圧排ガス供給部（４４）の両方と、
を備えたガス燃料で動く大型ターボチャージャ付きユニフロー掃気式２サイクル内燃エンジンであって、
前記少なくとも１つの燃料弁（３０）によって前記燃焼室内に噴射される物質の運動量を高めるために、前記ガス燃料、および、前記排ガスの両方を前記少なくとも１つの燃料弁（３０）を介して同時に前記燃焼室内に噴射するように構成された、
ことを特徴とする内燃エンジン。
【請求項２】
前記ガス燃料、および、前記排ガスが混合ガスとして、前記少なくとも１つの燃料弁（３０）から前記燃焼室内に同時に噴射される、
請求項１に記載のエンジン。
【請求項３】
前記ガス燃料、および、前記排ガスが前記少なくとも１つの燃料弁（３０）の内部で混合される、
請求項２に記載のエンジン。
【請求項４】
前記ガス燃料、および、前記排ガスが前記少なくとも１つの燃料弁（３０）の上流で混合される、
請求項２に記載のエンジン。
【請求項５】
前記少なくとも１つの燃料弁（３０）への、前記排ガス用と前記ガス燃料用との共通の
供給ライン（４２）を備える、
請求項１乃至４のいずれか１つに記載のエンジン。
【請求項６】
前記ガス燃料、および、前記排ガスが前記少なくとも１つの燃料弁（３０）のノズルのノズル孔から同時に噴射される、
請求項１に記載のエンジン。
【請求項７】
前記排ガス用の、前記加圧された排ガスの供給部（４４）から前記少なくとも１つの燃料弁（３０）への供給ライン（４５）と、前記ガス燃料用の、前記圧縮ガス燃料の供給部（４０）から前記少なくとも１つの燃料弁（３０）への供給ライン（４１）とを別々に備える、
請求項１乃至３または６のいずれか１つに記載のエンジン。
【請求項８】
前記ガス燃料と同時に噴射される排ガスの量を調整するように構成された制御装置を備える、
請求項１乃至７のいずれか１つに記載のエンジン。
【請求項９】
シリンダライナ（１）の外周に周方向に分散された前記少なくとも１つの燃料弁（３０）を複数備える
請求項１乃至８のいずれか１つに記載のエンジン。
【請求項１０】
前記少なくとも１つの燃料弁（３０）は１つ以上の噴射ノズル（３９）を有する、
請求項１乃至９のいずれか１つに記載のエンジン。
【請求項１１】
前記少なくとも１つの燃料弁（３０）は、前記圧縮ガス燃料の供給部（４０）に接続された第１の吸気口と、前記加圧された排ガスの供給部（４４）に接続された第２の吸気口とを備える、
請求項１０に記載のエンジン。
【請求項１２】
前記少なくとも１つの燃料弁（３０）は、前記燃料弁（３０）の内部に前記ガス燃料、および、前記排ガスを混合する機構（３３）を備える
請求項１１に記載のエンジン。
【請求項１３】
前記ガス燃料、および、前記排ガスの両方の同時噴射は、前記ピストン（１０）が前記シリンダカバー（２２）に向かう行程の間で、前記ピストン（１０）が前記掃気口を通過した後に開始される、
請求項１乃至１２のいずれか１つに記載のエンジン。
【請求項１４】
前記ガス燃料、および、前記排ガスの両方の同時噴射は、前記ピストン（１０）が前記シリンダカバー（２２）に向かう行程の間で、前記排気弁（４）が閉じる時または閉じる直前に開始される、
請求項１乃至１２のいずれか１つに記載のエンジン。
【請求項１５】
上死点または上死点の近傍で、点火を開始する点火システムを有する
請求項１乃至１４のいずれか１つに記載のエンジン。
【請求項１６】
前記エンジンはノッキングセンサを有し、付加される排ガスの量は前記ノッキングセンサからの信号に応じて調整される、
請求項１乃至１５のいずれか１つに記載のエンジン。
【請求項１７】
前記ノッキングセンサによってノッキングが検出されると、噴射される排ガスの質量を増加するように構成された、
請求項１６に記載のエンジン。
【請求項１８】
所定の時間または所定のエンジン回転数の間、前記ノッキングセンサによってノッキングが検出されないと、噴射される排ガスの質量を減少するように構成された、
請求項１７に記載のエンジン。
【請求項１９】
ガス燃料で動く大型ターボチャージャ付きユニフロー掃気式２サイクル内燃エンジンにおいて、燃焼室内でガス燃料と掃気との混合を促進することによってノッキングを低減する方法であって、前記エンジンは、
シリンダライナ（１）と、ピストン（１０）と、シリンダカバー（２２）とで区切られた燃焼室と、
前記シリンダライナ（１）に配置された掃気口（１８）と、
前記シリンダカバー（２２）に配置された排気弁（４）と、
ガス燃料、および、排ガスを前記燃焼室内に噴射する、前記シリンダライナ（１）に配置された少なくとも１つの燃料弁（３０）と、を備え
前記方法は、圧縮ガス燃料、および、加圧された排ガスを前記シリンダカバー内の前記燃料弁（３０）に供給し、前記ピストン（１０）がシリンダカバー（２２）に向かう行程の間に、前記圧縮ガス燃料、および、前記加圧された排ガスを前記燃料弁（３０）を介して高速で同時に前記燃焼室内に噴射し、前記燃料バルブ（３０）が燃料噴射中に前記燃焼室内に噴射される物質の運動量を高める工程を含むことを特徴とする方法。
【請求項２０】
前記排ガスは、エンジン負荷が前記エンジンの最大連続定格の６０％を超える場合のみに噴射される、
請求項１９に記載の方法。
【請求項２１】
前記排ガスは、エンジン負荷が前記エンジンの最大連続定格の７０％を超える場合のみに噴射される、
請求項１９に記載の方法。
【発明の詳細な説明】
【技術分野】
【０００１】
本開示は、大型ターボチャージャ付き２サイクル内燃エンジンに関し、特にガス燃料で動くクロスヘッドを備えた大型ユニフロー（単流）掃気式２サイクル内燃エンジン（A LARGE TWO-STROKE UNIFLOW SCAVENGED GASEOUS FUELED ENGINE）に関する。
【背景技術】
【０００２】
クロスヘッドを備えた大型ターボチャージャ付きユニフローチャージ式２サイクル内燃エンジンは、例えば、大型外航船の推進用や発電所の一次発動機として使われている。大きさの違いだけでなく、これら２サイクルディーゼルエンジンは、他の内燃エンジンとは異なる構成を有している。排気バルブの重量は最大４００ｋｇで、ピストンの直径は最大１００ｃｍであり、燃焼室の最大動作圧は通常数百バールである。このような高い圧力レベルやピストンサイズに対しては著しく大きい力が必要になる。
【０００３】
シリンダライナの長さ方向の中央に配置された燃料弁により噴射されるガス燃料によって動作する大型ターボチャージャ付き２サイクル内燃エンジン、すなわち排気弁が閉じる頃に始まるピストンの上り行程の間にガス燃料を噴射するエンジンは、燃焼室内でガス燃料と掃気との混合ガスを圧縮して、例えば、パイロットオイル噴射などの時限点火手段によって点火を行う。このように、ピストンがガス燃料と掃気との混合ガスを圧縮する結果、ノッキングのおそれが生じる。当業界では、この種のノッキングを「ディーゼル」ノッキングと呼んでいる。
【０００４】
ディーゼルノッキングに伴う問題は、燃焼室に導入したガスをできるだけ均質にすることによって低減できる。しかし、均質な導入ガスを得る上で非常に短いエンジンサイクルの時間帯しか利用できないので、掃気とガス燃料との均質な導入を行うことは難しい。これは、排気弁が閉じる時から上死点（top dead center：ＴＤＣ）までのエンジンサイクルの時間帯が比較的短い（通常は２０度〜４０度のクランクシャフト角の期間）ことによるものであり、例えば、４サイクルエンジンでガス燃料と給気とを実際に吸気システム内で混合することのできる利用可能なエンジンサイクルの期間、すなわち吸気弁の開弁位相の少なくとも大半の期間（通常は４０度〜１６０度のクランクシャフト角の期間）と比較して、上記時間帯は短いことによる。
【０００５】
均質な導入ガスを得る上で利用可能なエンジンサイクルの時間帯が比較的短いことは、大型２サイクルディーゼルエンジンにおいてディーゼルノッキングを避けることをより難しくしている。
【０００６】
燃焼室内へのガス燃料と給気との不均質な導入はディーゼルノッキングのおそれを高め、エンジンに重大なダメージを与える可能性がある。
【０００７】
これまでに以下の方法でエンジンのノッキングの問題の解決が図られてきた。
【０００８】
デンマーク特許第１，７７９，３６１号（ＤＫ１７７９３６１）には、シリンダライナ内を動くピストン、排気弁を備えたシリンダヘッド、およびシリンダライナ内に周方向に配置された掃気口を有する大型ユニフロー掃気式２サイクルエンジンが開示されている。数個の燃料噴射弁が、掃気口の上方でシリンダライナの周囲に周方向に分散されている。燃料はＴＤＣより少なくとも９０度前のクランク角の位置で噴射される。
【０００９】
デンマーク特許第１，７６６，１１８  Ｂ１号（ＤＫ１７６６１１８  Ｂ１）には別の大型ユニフロー掃気式２サイクルエンジンが開示されている。このエンジンでは、ガス燃料が掃気口から噴射されて、燃焼室に流入する空気に混入される。また、水噴射ノズルがシリンダヘッドに設けられている。燃料と空気との混合物の温度を下げるために圧縮時に水が燃焼室内に噴射されて、ノッキングを防ぐようになっている。
【００１０】
しかし、上記の解決策では、大型２サイクル圧縮点火内燃エンジンのノッキングを効果的に防ぐには機能が十分でないことが明らかになっている。
【００１１】
したがって、このような大型エンジンにおいてノッキングによる損傷からエンジンを効果的に保護するために燃料噴射を改善する必要がある。
【発明の概要】
【００１２】
したがって、ノッキングを防止できる、または少なくとも低減できる、ガス燃料で動く大型ユニフロー掃気式２サイクルエンジンを提供することを目的とする。
【００１３】
上記およびその他の目的は、独立請求項の特徴により達成される。さらなる実施様式が、従属請求項、本明細書、および図面により明らかにされる。
【００１４】
第１態様により大型ターボチャージャ付きユニフロー掃気式２サイクル内燃エンジンが提供される。このエンジンは、シリンダライナと、ピストンと、シリンダカバーと、で区切られた燃焼室と、シリンダライナに配置された掃気口と、シリンダカバーに配置された少なくとも１つの排気弁と、ガス燃料を燃焼室内に噴射する、シリンダライナに配置された少なくとも１つの燃料弁と、圧縮ガス燃料の燃料弁への供給部と、圧縮排ガスの燃料弁への供給部の両方と、を備え、前記少なくとも１つの燃料弁によって前記燃焼室内に噴射される物質の運動量を高めるために、前記ガス燃料、および、前記排ガスの両方を前記少なくとも燃料弁を介して同時に前記燃焼室内に噴射するように構成される。
【００１５】
排ガスを噴射する目的は、燃焼室内に噴射される物質の発熱量を変化させない反応性物質を噴射することによって燃焼室内に噴射される物質の運動量を高めることである。運動量を高めることによってガス燃料と掃気との混合が促進され、さらにそれによって導入ガスがより均質になると共にノッキングのおそれが低下する。
【００１６】
このように、噴射される排ガスは反応性物質であるが、燃焼室内に噴射される物質（ガス燃料、および、噴射される排ガス）の発熱量を変化させない。しかし、排ガスの噴射によって運動量が付加され、噴射される物質全体の運動量が増える。これによりノッキングすなわち早期燃焼のおそれが低下する。
【００１７】
運動量は、質量ｍ（ｋｇ）と速度ｖ（ｍ／ｓ）との積（ｍ．ｖ）である。
【００１８】
したがって、燃焼室内に噴射される物質の全運動量は、噴射される燃料の質量と速度との積と、噴射される排ガスの質量と速度との積との和になる。
【００１９】
噴射されるガス燃料の速度は音速が上限である。１エンジンサイクルにおける１回の噴射の間に噴射される燃料の質量は、エンジン負荷により規定される。ガス燃料が音速に達した後さらに運動量を高めることは通常不可能である。
【００２０】
しかし、本発明者らは、運動量は、ガス燃料の噴射に加えて排ガスを噴射し、それによって噴射される質量を増やして運動量を増すことにより高めることができるという知見を得た。すなわち、運動量は付加されたガスを高速噴射することによって高められる。
【００２１】
また、本発明者らは、排ガスを付加することによって圧縮の間に燃焼室内の導入ガスの温度が下がり、それによりノッキングのおそれがさらに低下するという知見を得た。
【００２２】
第１態様の第１の可能な実施様式によれば、ガス燃料、および、排ガスが混合ガスとして、少なくとも１つの燃料弁から燃焼室内に同時に噴射される。
【００２３】
第１態様の第２の可能な実施様式によれば、ガス燃料と、排ガスとが少なくとも１つの燃料弁の内部で混合される。
【００２４】
第１態様の第３の可能な実施様式によれば、ガス燃料、および、排ガスが少なくとも１つの燃料弁の上流で混合される。
【００２５】
第１態様の第４の可能な実施様式によれば、エンジンが、少なくとも１つの燃料弁への、排ガス用とガス燃料用との共通の供給ラインを備える。
【００２６】
第１態様の第５の可能な実施様式によれば、ガス燃料、および、排ガスが少なくとも１つの燃料弁のノズルのノズル孔から同時に噴射される。
【００２７】
第１態様の第６の可能な実施様式によれば、エンジンは、排ガス用の、圧縮排ガスの供給源から少なくとも１つの燃料弁への供給ラインと、ガス燃料用の、圧縮ガス燃料の供給源から少なくとも１つの燃料弁への供給ラインとを別々に備える。
【００２８】
第１態様の第７の可能な実施様式によれば、エンジンは、ガス燃料と同時に噴射される排ガスの量を調整するように構成された制御装置を備える。
【００２９】
第１態様の第８の可能な実施様式によれば、エンジンは、シリンダライナの外周に周方向に分散された少なくとも１つの燃料弁を複数備える。
【００３０】
第１態様の第９の可能な実施様式によれば、少なくとも１つの燃料弁は１つ以上の噴射ノズルを有する。
【００３１】
第１態様の第１０の可能な実施様式によれば、少なくとも１つの燃料弁は、圧縮ガス燃料の供給源に接続された第１の吸気口と、圧縮排ガスの供給源に接続された第２の吸気口とを備える。
【００３２】
第１態様の第１１の可能な実施様式によれば、少なくとも１つの燃料弁は、燃料弁の内部にガス燃料、および、排ガスを混合する機構を備える。
【００３３】
第１態様の第１２の可能な実施様式によれば、ガス燃料、および、排ガスの両方の同時噴射は、ピストンがシリンダカバーに向かう行程の間で、好ましくはピストンが掃気口を通過した後、さらに好ましくは排気弁が閉じる時またはその直前に開始される。
【００３４】
第１態様の第１３の可能な実施様式によれば、エンジンは、好ましくはＴＤＣまたはＴＤＣの近傍で、点火を開始する点火システムを備える。
【００３５】
第１態様の第１４の可能な実施様式によれば、エンジンは、ピストンがシリンダカバーに向かう行程の間にガス燃料、および、排ガスの両方を同時に噴射するように構成される。
【００３６】
第２態様によれば、大型ターボチャージャ付きユニフロー掃気式２サイクル内燃エンジンにおいて、燃焼室内でガス燃料と掃気との混合を促進することによってノッキングを低減する方法が提供される。前記エンジンは、シリンダライナと、ピストンと、シリンダカバーとで区切られた燃焼室と、シリンダライナに配置された掃気口と、シリンダカバーに配置された排気弁と、ガス燃料、および、排ガスを燃焼室内に噴射する、シリンダライナに配置された少なくとも１つの燃料弁と、を備える。前記方法は、圧縮ガス燃料、および、圧縮排ガスを燃料弁に供給する工程と、燃焼室内に噴射される物質の運動量を高めるためにピストンがシリンダカバーに向かう行程の間に圧縮ガス燃料、および、圧縮排ガスを燃料弁を介して同時に燃焼室内に噴射する工程と、を含む。
【００３７】
第２の態様の第１の可能な実施様式によれば、排ガスが、エンジン負荷が高い場合のみ、好ましくはエンジン負荷がエンジンの最大連続定格の６０％を超える場合のみ、さらに好ましくはエンジン負荷がエンジンの最大連続定格の７０％を超える場合のみに噴射される。
【００３８】
上記およびその他の態様は以下に述べる実施形態により明らかにされる。
【図面の簡単な説明】
【００３９】
以下の本開示の明細部分について、態様、実施形態、および実施様式を各図に示す実施形態例を参照してより詳細に説明する。
【図１】一実施形態例に係る大型２サイクルディーゼルエンジンの正面図である。
【図２】図１の大型２サイクルエンジンの側面図である。
【図３】図１の大型２サイクルエンジンを図式的に表す図である。
【図４】一実施形態例に係るシリンダフレームとシリンダライナとを、シリンダカバーと、シリンダカバーに適合した排気弁と、ＴＤＣと下死点（bottomed dead center：ＢＤＣ）との両方の位置におけるピストンと共に示す断面図である。
【図５】図４のシリンダライナの部分断面図である。
【図６】ガス燃料、および、噴射される排ガスが同一の燃料弁を介して燃焼室に送給される実施形態での燃料弁構成が設けられた、図５のシリンダライナのＶＩ−ＶＩ線における断面図である。
【図７】ガス燃料、および、噴射される排ガスが燃料弁に送給される前に混合される実施形態での燃料供給構成と燃料弁機構とを示す図である。
【図８】ガス燃料、および、噴射される排ガスが燃料弁内部で混合される実施形態での燃料供給構成と燃料弁機構とを示す図である。
【図９】ガス交換と燃料噴射サイクルとを示すグラフである。
【発明を実施するための形態】
【００４０】
以下の詳細な説明では、各実施形態例における大型低速ターボチャージャ付き２サイクル内燃クロスヘッドエンジンを参照して内燃エンジンの説明を行う。図１，２，３は、クランクシャフト８とクロスヘッド９とを備えた、大型低速ターボチャージャ付き２サイクルディーゼルエンジンを示す。図３は、大型低速ターボチャージャ付き２サイクルディーゼルエンジンを、その吸排気システムと共に図式的に示す図である。本実施形態例のエンジンは４つの並列シリンダを有する。通常、大型低速ターボチャージャ付き２サイクルディーゼルエンジンは４〜１４の並列シリンダを有しており、これらシリンダはエンジンフレーム１１に支えられている。このエンジンは、例えば、船舶の主エンジンや発電所の発電機を作動する定置エンジンとして使用される。このエンジンの総出力は、例えば１，０００〜１１０，０００ｋＷの範囲にある。
【００４１】
本実施形態例のエンジンは、シリンダライナ１の下部に掃気口１８と、シリンダライナ１の頂部に中央排気弁４とを備えたユニフロー型２サイクルエンジンである。掃気は、掃気受け２から個々のシリンダ１の掃気口１８を介して送られる。ガス燃料、および、噴射される排ガスがシリンダライナ１内の燃料噴射弁３０から噴射され、シリンダライナ１内のピストン１０が、導入されたガス燃料と、噴射される排ガスと、掃気とを圧縮して、圧縮が起きた状態で、ＴＤＣまたはＴＤＣの近傍で、例えば、パイロットオイル燃料弁３３からパイロットオイル（または任意の他の適当な点火用液体）を噴射することにより点火がトリガされ、燃焼が起きて排ガスが生じる。他の方式の点火システム（例えば、レーザ点火やグロープラグなど）を用いて点火を開始することもできる。
【００４２】
排気弁４が開いていると、排ガスはシリンダ１に付随した排気ダクトを通じて排ガス受け３に流入し、さらにその先で第１の排気路１９を通じてターボチャージャ５のタービン６に流入する。タービン６から排ガスは第２の排気路を通じてエコノマイザ２０を介して排気口２１に流れ、大気中に流出する。タービン６はシャフトを介してコンプレッサ７を駆動し、コンプレッサ７には吸気口１２から外気が供給される。コンプレッサ７は、圧縮掃気を掃気受け２に通じる掃気路１３に送給する。掃気路１３内の掃気は掃気冷却用の中間冷却器１４を通過する。
【００４３】
冷却された掃気は電動モータ１７に駆動される補助ブロア１６を通る。補助ブロア１６は、ターボチャージャ５のコンプレッサ７から掃気受け２に十分な圧力が送られない時、すなわちエンジンが低負荷または部分負荷状態の時に掃気を加圧する。エンジン負荷が高くなると、コンプレッサ７は十分な圧縮掃気を送給し、補助ブロア１６は逆止弁１５を経て迂回される。
【００４４】
図９は、掃気口１８と、排気弁４と、燃料弁３０との開放期間と閉止期間とを、それぞれクランク角の関数として示すグラフである。このグラフが示すように、ガス燃料を噴射する時間帯は非常に短く、そのためにガス燃料が燃焼室内で掃気と混合される時間も非常に短い。ガス燃料、および、噴射される排ガスは、この非常に短い時間帯に噴射される。
【００４５】
比較的高速で噴射される比較的大きい質量を得るために、また噴射される排ガスの大きい運動量を得るために、相当量の排ガスが噴射されると共に、排ガスが高圧で噴射される。
【００４６】
噴射される排ガスの運動量が噴射されるガス燃料の運動量と合わさって、ガス燃料単独の運動量よりも著しく大きい運動量が生じる。
【００４７】
噴射される排ガスは反応性物質であるが、発熱量を増加させない。このため燃焼室内に噴射される物質の発熱量は、燃焼室内に単独で噴射される燃料の発熱量と差がない。
【００４８】
１回のエンジンサイクルで噴射されるガス燃料の量はエンジン負荷によって規定される。１回のエンジンサイクルで噴射される噴射排ガスの量は噴射速度に依存し、また特殊な種類のガス燃料で動く特殊なエンジンのノッキングを防ぐ必要の有無にも依存するが、簡単な試行錯誤により決定することができる。
【００４９】
好ましくは、排ガスはエンジンサイクル毎に噴射される。エンジン負荷が低い場合は、通常ノッキングのおそれはきわめて小さい。このため、一実施形態では、排ガスは、エンジン負荷が高い場合のみ、例えば、エンジンの最大連続定格の６０〜７０％より高いエンジン負荷の場合に燃焼室内に噴射される。
【００５０】
一実施形態において、エンジンは図示しないノッキングセンサを有し、付加される排ガスの量はノッキングセンサからの信号に応じて調整される。すなわち、噴射される排ガスの量（質量）は、ノッキングが検出されると増加され、しばらくしてノッキングが検出されなくなると減少される。
【００５１】
一実施形態において、噴射される排ガスはガス燃料との混合ガスとしてガス燃料と同時に噴射されるか、またはガス燃料とは別に噴射される。
【００５２】
図４，５，６は、総括的に符号１で表した、大型２サイクルクロスヘッドエンジン用のシリンダライナを示す。エンジンの大きさに応じて、シリンダライナ１は異なるサイズで製造される。シリンダ内径は通常２５０ｍｍ〜１０００ｍｍの範囲で異なり、対応するシリンダ長は通常１０００ｍｍ〜４５００ｍｍの範囲で異なる。
【００５３】
図４に示すシリンダライナ１はシリンダフレーム２３に取り付けられている。シリンダライナ１の上にはシリンダカバー２２が載置されており、両者の間には気密性の接続部が介在している。図４では、ピストン１０は、下死点（ＢＤＣ）と上死点（ＴＤＣ）との両方を破線によって示しているので、図式的に示されていないが、これら２つの位置は同時には発生せず、クランクシャフト８の１８０度回転分の隔たりがあることはいうまでもない。シリンダライナ１は、シリンダ潤滑孔２５とシリンダ潤滑ライン２４とを備え、これにより、ピストン１０が潤滑ライン２４を通過する際にシリンダ潤滑油が供給され、次いで、図示しないピストンリングによってシリンダライナ１の滑り面にシリンダ潤滑油が分散される。
【００５４】
図４に示した実施形態では、壁部２９のもっとも薄い部分はシリンダライナ１の底部、すなわち掃気口１８より下方の部分である。シリンダライナ１の壁部２９のもっとも厚い部分は、シリンダライナ１の軸方向上方の部分である。シリンダライナ１の軸方向中央部の周囲でシリンダライナ１の厚さが急激に変化しており、この部分が肩部の役割を果たして、シリンダフレーム２３にシリンダを載置できるようになっている。シリンダカバー２２は、テンションボルトにより加えられる強い力によってシリンダライナ１の上面に押圧されている。
【００５５】
パイロットオイル弁３３（通常はシリンダ１つにつき２つ以上）がシリンダカバー２２に取り付けられて図示しないパイロットオイル供給源に接続されている。一実施形態において、パイロットオイル噴射のタイミングは図示しない電子制御装置により制御される。
【００５６】
燃料弁３０は、そのノズルがシリンダライナ１の内面にほぼ面一で、かつその後端がシリンダライナ１の外壁から比例配分した状態で、シリンダライナ１に取り付けられている。一般に、各シリンダに対して３個または４個の燃料弁３０が、シリンダの周囲に周方向に等間隔に分散して設けられている。一実施形態において、燃料弁３０はシリンダライナ１の長さ方向の中央に配置されている。
【００５７】
図５，６は、シリンダライナ１と燃料弁３０とをより詳細に示した図である。本実施形態では、シリンダライナ１は４つの燃料弁３０を備えている。図６では燃料弁３０は径方向を指向しているが、燃料弁３０をシリンダライナ１に対して他の角度で配置することもできることは明らかである。
【００５８】
一実施形態において、燃料弁３０はガス燃料、および、噴射される排ガスの共通（混合）供給源に接続される。図７に示す燃料弁３０は、１本の供給ライン４２を介して圧縮燃料の供給源（供給部）４０と噴射される圧縮排ガスの供給源（供給部）４４の両方に接続されている。図示しない弁が設けられて、燃料弁３０に送給されるガス燃料、および、噴射される排ガスの所望の比率が保たれている。共通路３２を通じて上記混合ガスがノズル３９に移送される。混合ガスはノズル３９のノズル孔から燃焼室内に噴射される。燃料弁３０は、例えば、電子制御装置の制御下で混合ガスを燃焼室に時限噴射する手段を備えている。
【００５９】
図７の実施形態の一変形において、ガス燃料、および、噴射される排ガスは混合されず、代わりにガス燃料か噴射される排ガスのいずれかを先にして順次燃料弁３０に供給され、順次噴射される。
【００６０】
他の実施形態では、図８に示すように、ガス燃料の供給源４０が専用の供給ライン４１によって燃料弁３０の専用ポートに接続される。ガス燃料は、専用路３１によって燃料弁３０内部の混合部３３に導かれる。圧縮排ガスの供給源４４が専用の供給ライン４５によって燃料弁３０の専用ポートに接続される。排ガスは、専用路３５によって燃料弁３０内部の混合部３３に導かれる。混合部３３においてガス燃料、および、排ガスが混合され、生じた混合ガスは共通路３２を通って混合部３３からノズル３９に移送される。ノズル３９はノズル孔を備えており、このノズル孔から混合ガスが燃焼室内に噴射される。燃料弁３０は、例えば、電子制御装置の制御下で混合ガスを燃焼室に時限噴射する手段を備えている。
【００６１】
様々な態様と実施様式とを、上記の種々の実施形態との関連で説明した。しかし、添付図面と、本明細書と、添付の特許請求の範囲とを検討することで、本請求の内容を実施する当業者が本開示の実施形態の他の変形を実現可能なことは明らかである。特許請求の範囲において、「備える」という言葉は他の構成要素や工程を排除するものではない。また、「１つの」という言葉は複数を排除するものではない。１個のプロセッサまたは他の装置によって、特許請求の範囲で列挙された複数の項目の機能を果たすことが可能である。複数の方策が互に異なる独立請求項で列挙されることは、それらの方策の組み合わせを有効に利用することはできないことを意味するものではない。
【００６２】
特許請求の範囲で用いた参照符号はその範囲を限定することを意味するものではない。
【図１】
2020122483.tif 000003
【図２】
2020122483.tif 000004
【図３】
2020122483.tif 000005
【図４】
2020122483.tif 000006
【図５】
2020122483.tif 000007
【図６】
2020122483.tif 000008
【図７】
2020122483.tif 000009
【図８】
2020122483.tif 000010
【図９】
2020122483.tif 000011